(57)【要約】【課題】トリムカバーを簡単に組み付けられ、皺の発生や内部の見出し等も防げて見栄えの良好なものに保てる中折れ式シートバックを提供する。【解決手段】スリット２３を下部面２２の略中央辺で横方向に設け、スリット２３を上サイドフレームの相対間に亘るファスナー２４で開閉可能に縫製した立方四角形の上カバー２と、スリット１６を上部面１４の略中央辺で横方向に設け、スリット１６を下サイドフレームの相対間に亘るファスナー１７で開閉可能に縫製した下開き袋状の下カバー１と、下カバー１の上部面と上カバー２の下部面との相対縁回りに設けるマチ部３とからなり、下カバー１と上カバー２とをマチ部３で一体に縫製したトリムカバーを備えてバック全体を覆った。【選択図】図１
2008125870.tif 000002
【特許請求の範囲】
【請求項１】
上フレームを傾倒可能に上下のサイドフレーム相互で下フレームと連結したバックフレームを基枠とし、下パッド，上パッドを下フレーム，上フレームに組み付けてトリムカバーで被包し、バック上部をバック下部の前方へ傾動可能に組み立てる中折れ式シートバックにおいて、
上フレームを含む上パッドの受入れ可能なスリットを下部面の略中央辺で横方向に設け、該スリットを上サイドフレームの相対間に亘るスリット縁に設けるファスナーで開閉可能に縫製した立方四角形の上カバーと、
下フレームを含む下パッドの受入れ可能な下開きの袋状で、下サイドフレームの突出し可能なスリットを上部面の略中央辺で横方向に設け、該スリットを下サイドフレームの相対間に亘るスリット縁に設けるファスナーで開閉可能に縫製した下カバーと、
少なくとも座面側の略中央部分を除く左右側より背面側に亘る下カバーの上部面と上カバーの下部面との相対縁回りに設けるマチ部とからなり、
下カバーと上カバーとをマチ部で一体に縫製したトリムカバーを備えてバック全体を覆ったことを特徴とする中折れ式シートバック。
【請求項２】
オープンスライドファスナーを各スリットの開閉用として設けたトリムカバーを備えてなることを特徴とする請求項１に記載の中折れ式シートバック。
【請求項３】
伸縮可能な材質のマチ部を設けたトリムカバーを備えてなることを特徴とする請求項１に記載の中折れ式シートバック。
【請求項４】
伸縮可能な材質の接ぎ代部をファスナーの少なくとも片側縁との間に介在させて下カバーの上部面，上カバーの下部面を形成したトリムカバーを備えてなることを特徴とする請求項１に記載の中折れ式シートバック。
【発明の詳細な説明】
【技術分野】
【０００１】
本発明は、バック上部をバック下部の前方へ傾動可能に組み立てる中折れ式シートバックに関するものである。
【背景技術】
【０００２】
従来、上フレームを傾倒可能に上下のサイドフレーム相互で下フレームと連結したバックフレームを基枠とし、下パッド，上パッドを下フレーム，上フレームに組み付けてトリムカバーで被包し、バック上部をバック下部の前方へ傾動可能に組み立てる中折れ式のシートバックとしては各種のものが知られている。
【０００３】
その中折れ式のシートバックにおいては、上フレームを含む上パッドを受入れ可能な下開き袋状の上カバー部と、下フレームを含む下パッドを受入れ可能で下サイドフレームを突出し可能な両開き状の下カバー部とを上下の開き端相互で縫い合わせると共に、引張部材を前面側，背面側の縫合せ端末相互間に掛け渡すトリムカバーにより、バック全体を覆うものが提案されている（特許文献１）。
【０００４】
そのトリムカバーでは、引張部材により皴がトリムカバーに発生するのを防いで見栄えを良好に保てるが、前側の部材端末と背側の部材端末との間をホックリングで連結するタフタ等の布地と、樹脂フックを上フレームの下部側に掛け止めて背側の縫合せ端末を引っ張る帯状のゴム紐とを引張部材として組み付けるところから、各引張部材の組付けを含めてトリムカバーの被着に手間が掛かる。
【特許文献１】特開２００１−１９９２６６
【発明の開示】
【発明が解決しようとする課題】
【０００５】
本発明は、トリムカバーを簡単に組み付けられ、皺の発生や内部の見出し等も防げて見栄えの良好なものに保てる中折れ式シートバックを提供することを目的とする。
【課題を解決するための手段】
【０００６】
本願の請求項１に係る発明は、上フレームを含む上パッドの受入れ可能なスリットを下部面の略中央辺で横方向に設け、該スリットを上サイドフレームの相対間に亘るスリット縁に設けるファスナーで開閉可能に縫製した立方四角形の上カバーと、
下フレームを含む下パッドの受入れ可能な下開きの袋状で、下サイドフレームの突出し可能なスリットを上部面の略中央辺で横方向に設け、該スリットを下サイドフレームの相対間に亘るスリット縁に設けるファスナーで開閉可能に縫製した下カバーと、
少なくとも座面側の略中央部分を除く左右側より背面側に亘る下カバーの上部面と上カバーの下部面との相対縁回りに設けるマチ部とからなり、
下カバーと上カバーとをマチ部で一体に縫製したトリムカバーを備えてバック全体を覆ったことを特徴とする。
【０００７】
本願の請求項２に係る発明は、オープンスライドファスナーを各スリットの開閉用として設けたトリムカバーを備えてなることを特徴とする。
【０００８】
本願の請求項３に係る発明は、伸縮可能な材質のマチ部を設けたトリムカバーを備えてなることを特徴とする。
【０００９】
本願の請求項４に係る発明は、伸縮可能な材質の接ぎ代部をファスナーの少なくとも片側縁との間に介在させて下カバーの上部面，上カバーの下部面を形成したトリムカバーを備えてなることを特徴とする。
【発明の効果】
【００１０】
本願の請求項１に係る中折れ式シートバックによると、ファスナーを下部面に設けて上フレームを含む上パッドを受け入れるスリットを開閉可能な立方四角形の上カバーと、ファスナーを上部面に設けて下サイドフレームを突出し可能な袋状の下カバーとにより、バック上部とバック下部とを個別に覆って組み立てることから、皺等がバック上部，バック下部に生ずるのを防げる。また、少なくとも座面側の略中央部分を除く左右側より背面側に亘る下カバーの上部面と上カバーの下部面との相対縁回りをマチ部で覆うことから、バック上部，バック下部の境目が外回りから見えず、バック全体として見栄えも良好なものに保てる。
【００１１】
そのトリムカバーの被着にあたっては、まず、フレーム全体を下カバーの開放側より内側に組み付けて下サイドフレームから上フレームを上部面のスリットより突き出し、上フレームを下部面のスリットより上カバーの内側に挿置してから上パッドを下部面のスリットより上フレームに組み付け、更に、上カバー，下カバーの各スリットをサイドフレームの相対間に亘るファスナーで閉鎖した後、下パッドを下カバーの開放側より下フレームに組み付けて下カバーの開放側を最終的に封止することから容易に被せるようにできる。
【００１２】
そのトリムカバーの被着後でファスナーを開閉する必要が生じたときは、マチ部が座面側の略中央部分に設けられていないため、作業員が手を該略中央部分のバック上部とバック下部との境目に入れれば容易に開閉するようにできる。
【００１３】
本願の請求項２に係る中折れ式シートバックによると、オープンスライドファスナーを各スリットの開閉用として設けたトリムカバーを備えるため、オープンスライドファスナーにより各スリット部の閉鎖作業を容易に行える。
【００１４】
本願の請求項３に係る中折れ式シートバックによると、伸縮可能な材質のマチ部を設けたトリムカバーを備えるため、バック上部を前傾するに伴って上カバー乃至は下カバーに対する引張りが生ずるのを防げて皺等の発生を防止できる。
【００１５】
本願の請求項４に係る中折れ式シートバックによると、伸縮可能な材質の接ぎ代部をファスナーの少なくとも片側縁との間に介在させて上カバーの下部面，下カバーの上部面を形成したトリムカバーを備えるため、ファスナーによるスリット部の閉鎖作業に伴っても皺等の発生を確実に防げる。
【発明を実施するための最良の形態】
【００１６】
添付図面を参照して説明すると、図１はトリムカバーの縫製構造を概略的に示す。そのトリムカバーはファブリック等の布地材でなり、バック下部（フレーム，パッドを含み、図示せず）を被包する下カバー１と、バック上部（フレーム，パッドを含み、図示せず）を被包する上カバー２と、下カバー１と上カバー２との間に亘るマチ部３とを縫い合わせて形成されている。
【００１７】
下カバー１は、図２で示す（但し、マチ部３は破線で示す。）ように座面中央より上面前に亘る座面表皮１０と、背面中央より上面後に亘る背面表皮１１と、土手面より上端面を含む側面回りに亘る左右の側面表皮１２，１３を縫い合わせて上部面１４（図１参照）を形成することから、下フレームを含む下パッドの受入れ可能な下開きの袋状に縫製されている。下カバー１の上部面には、下サイドフレーム１５ａ，１５ｂを突出し可能なスリット１６が略中央辺で横長状に設けられている。
【００１８】
スリット１６は、下サイドフレーム１５ａ，１５ｂの相対間に亘るスリット縁に縫い付けるオープンスライドファスナー１７で開閉可能に形成されている。また、接ぎ代部１８をオープンファスナー１７の片側テープと背面表皮１１の端末との間に介在させて縫い合わすことから、下カバー１の上部面は下サイドフレーム１５ａ，１５ｂを通すスリット部分を除いて閉鎖されている。
【００１９】
下カバー１は、図３で示すように背面表皮１１がスライドファスナー１９ａ，１９ｂで開閉可能に縫製されている。この下カバーでは、下パッドを下フレームに組み付ける際に、背面表皮１１をスライドファスナー１９ａ，１９ｂで空けておけば下パッドを下フレームに容易に組み付けでき、また、下パッドを下フレームに組み付けてから背面表皮１１をスライドファスナー１９ａ，１９ｂで閉めればカバー全体を下パッド，上パッドに容易に被着するようにできる。
【００２０】
上カバー２は、座面中央より上面前に亘る座面表皮２０と、土手面より上端面を含む側面回りから背面に亘る背面表皮２１を縫い合わせて下部面２２を形成することから立方四角形状に縫製されている。
【００２１】
上カバー２も、上述した下カバー１（図１，図２参照）と同様に、横長状のスリット２３を下部面２２に設けると共に、オープンスライドファスナー２４をサイドフレームの相対間に亘るスリット縁に設けてスリット２３をオープンスライドファスナー２４で開閉可能に縫製されている。また、接ぎ代部２５ａ，２５ｂをオープンファスナー２４の両側テープと座面表皮２０，背面表皮２１の端末との間に介在させて縫い合わすことから、上カバー２の上部面２２も上サイドフレームを通すスリット部分を除いて閉鎖されている。
【００２２】
マチ部３は下カバー１と共縫いする下マチ３ａと上カバー２と共縫いする上マチ３ｂとからなり、マチ相互３ａ，３ｂを端末で重ね合わせて縫い合わすことから、縫い合せ目が下カバー１と上カバー２との相対間に向けて入り込むよう設けられている。このマチ部３は、図４で示すように少なくとも座面側の略中央部分（ｌ）を除く左右側より背面側（図３参照）に亘る下カバー１の上部面１４と上カバー２の下部面２２との相対縁回りに設けられている。
【００２３】
そのトリムカバーに対し、上フレームを傾倒可能に上下のサイドフレーム相互で下フレームと連結したバックフレームを基枠として備え、下フレーム，上フレームに組み付けられる別体の下パッド，上パッドを備えることから、中折れ式のシートバックとして組み立てられる。
【００２４】
その各構成部から中折れ式のシートバックを組み立てるには、上述したように下カバー１の背面表皮１１をスライドファスナー１９ａ，１９ｂで空けた状態に保って作業を行うとよい。
【００２５】
その組立作業の一例を説明すると、まず、フレーム全体を下カバー１の開放側より内側に組み付けて下サイドフレームから上フレームを上部面１４のスリット１６より突き出すようにし、上フレームを下部面２２のスリット２３より上カバー２の内側に挿置してから上パッドを下部面２２のスリット２３より上フレームに組み付け、更に、上カバー２，下カバー１の各スリット１４，２３をサイドフレームの相対間に亘るオープンスライドファスナー１７，２４で閉鎖した後、下パッドを下カバー１の開放側より下フレームに組み付けるようにできる。
【００２６】
この組立作業中、上カバー２，下カバー１の各スリット１４，２３をサイドフレームの相対間に亘るオープンスライドファスナー１７，２４で閉鎖することから、皺等の発生を確実に防げる。最終的には、下カバー１の背面表皮１１をスライドファスナー１９ａ，１９ｂで閉め、また、下カバー１の開放側端末をバックフレーム側に巻込み止着すれば中折れ式のシートバックとして組み立てられる。
【００２７】
このように構成する中折れ式シートバックでは、オープンスライドファスナー１７を上部面１４に設けて下サイドフレームを突出し可能な袋状の下カバー１と、オープンスライドファスナー２４を下部面に設けて上フレームを含む上パッドを受け入れるスリット２３を開閉可能な立方四角形の上カバー２とにより、バック上部とバック下部とを個別に覆って組み立てることから、皺等がバック上部，バック下部に生ずるのを防げる。
【００２８】
それと共に、少なくとも座面側の略中央部分を除く左右側より背面側に亘る下カバー１の上部面１４と上カバー２の下部面２２との相対縁回りをマチ部３で覆うことから、バック上部，バック下部の境目が外回りから見えず、バック全体として見栄えも良好なものに保てる。バック上部を傾動するに伴っては、図５で示すようにマチ部３の上下３ａ，３ｂが幅を呈するため、上カバー２乃至は下カバー１に対する引張りが生ずるのを防げて皺等の発生を防止できる。
【００２９】
上述したマチ部３、接ぎ代部１７，２５ａ，２５ｂは伸縮可能な材質のもので形成でき、この場合には皺等の発生をより確実に防止するようにできる。但し、接ぎ代部１７，２５ａ，２５ｂについては設けるのを省略してもよい。ファスナーとしてはオープンファスナーに基づいて説明したが、貼合せファスナーを設けるようにしてもよい。
【図面の簡単な説明】
【００３０】
【図１】本発明に係る中折れ式シートバックのトリムカバーを縫製構造で示す説明図である。
【図２】同トリムカバーの上カバーを示す平面図である。
【図３】同トリムカバーを示す背面斜視図である。
【図４】同トリムカバーを示す前面斜視図である。
【図５】同トリムカバーを被せたシートバックを中折れ状態で示す側面図である。
【符号の説明】
【００３１】
１            下カバー
１４          下カバーの上部面
１６          下カバーのスリット
１７          下カバーのファスナー
１８          下カバーの接ぎ代部
２            上カバー
２２          上カバーの下部面
２３          上カバーのスリット
２４          上カバーのファスナー
２５ａ，２５ｂ    上カバーの接ぎ代部
【図１】
2008125870.tif 000003
【図２】
2008125870.tif 000004
【図３】
2008125870.tif 000005
【図４】
2008125870.tif 000006
【図５】
2008125870.tif 000007